(57)【要約】      （修正有）【課題】  積み重ねた皿の運搬が確実にでき、簡便で設備のコストダウンができ、衛生的な保守が容易で、安全に持ち運べる搬送器具を提供する。【解決手段】  提げ手部１の両端に、積み重ねた皿Ｂの高さに見合う長さを具えた一対の脚部２ａ、２ｂを具え、その内の少なくともその一方２ｂを開閉可能にして連結する。この一対の脚部の下端には、互いに向かい合って、かつ、積み重ねた皿Ｂの最下段の皿Ｂ’を裏側から抱持する円弧形の係合爪３を備える。前記提げ手部１には、前記一対の脚部２ａ、２ｂを閉じる方向に付勢するばね４と、このばね４に抗して上記脚部２ａ、２ｂの上記係合爪３を、上記最下段の皿を抱持する位置に停止させておく開閉停止手段５とを備えてなる積み重ね皿の搬送器具である。【選択図】図１
2005343493.tif 000002
【特許請求の範囲】
【請求項１】
提げ手部の両端に、積み重ねた皿の高さに見合う長さを具えた一対の脚部を具え、その内の少なくとも一方を開閉可能にして連結する。
この一対の脚部の下端には互いに向かい合って、かつ、積み重ねた皿の最下段の皿を裏側から抱持する円弧形の係合爪を備える。
前記提げ手部には、前記脚部を閉じる方向に付勢するばねと、このばねに抗して上記脚部の上記係合爪を、上記最下段の皿を抱持する位置に停止させておく開閉停止手段とを備えてなる積み重ねた皿の搬送器具。
【請求項２】
前記提げ手部は、両端に備えたヒンジ部と連結軸とを介して前記一対の脚部をそれぞれ開閉可能に連結するとともに、上記両端のヒンジ部から中央部に向けて延設した延設部の先端を互いに丁番構造で連結する。
前記ばねは、板ばねで形成され、中央部を上記丁番構造の裏面に当接させ、その両側を上記延設部と、該延設部の下側に沿って延設した下側の延設部との間に若干の滑動を可能にして挟持させる。
前記開閉停止手段は、上記一対の脚部の外側面に形成されて、上記ばねの付勢に抗して該脚部を開けるように備えた把持部と、上記取付け台の裏面に突設したストッパーと、上記下側の延設部の一方の先端部裏面に備えられて上記ストッパーの先端部と係合して、上記一対の脚部の係合爪を互いに前記最下段の皿を抱持する位置に停止させておくようにした係合片とからなることを特徴とする請求項１記載の積み重ねた皿の搬送器具。
【請求項３】
前記ばねは板ばねで形成され、一端を上記提げ手部の上面に当接させ、他端は、上記提げ手部の一方の端部に設けたブラケットにヒンジされて提げ手部の上方に延設したハンドル形のレバーの裏面に当接させ、中間部を上記ブラケット側にＵ字形に曲げて上記レバーと提げ手部との間に挟持する。
前記一対の脚部の一方は、上記ハンドル形のレバーの基端部から一体に垂下されて、常時は上記ばねにより下端の係合爪を閉じる方向に付勢させ、この付勢に抗して上記レバーと提げ手部とを握り締めることによりこの一方の脚部を開けるように構成し。
前記開閉停止手段は、上記ハンドル形のレバーの基端部に取り付けたレバー形のストッパーと、上記提げ手部の一端に開口する掛止孔とを係合させて、上記一方の脚部を開放位置に停止させるように構成したことを特徴とする請求項１記載の積み重ねた皿の搬送器具。
【請求項４】
前記一対の脚部と係合爪及び提げ手部の下方に位置して積み重ねた皿に当接する可能性のある部材には、少なくとも上記積み重ねた皿に向かい合う面に、皿の破損防止性または抗菌性を具えた樹脂加工を施したことを特徴とする請求項１記載の積み重ねた皿の搬送器具。
【発明の詳細な説明】
【技術分野】
【０００１】
本発明は、主として回転すし店に備えられて、客が食べ終わって積み上げた空皿を、積み重ねた状態のままで所定の洗い場などに運ぶ場合などに使用されるようにした積み重ねた皿の搬送器具に関し、少なくとも十枚以上の空皿を一度に持ち運べるようにしたことを特長とするものである。
【背景技術】
【０００２】
従来行なわれている空皿の搬送は、係りの人が積み重ねられた皿の下を両手で持って直接洗い場などに運ぶとか、トレーに移し替えて運ぶとか、客席の近くに施設したベルトコンベアーに載せて洗い場などに送るようにしていた。
また、空の皿をサービスワゴンにまとめて搬送できるようにしたものには、例えば、特許文献１があり、運搬カートにまとめて搬送されてきた使用後の皿を洗浄する装置には、例えば、特許文献２がある。
【０００３】
【特許文献１】特開平１１−２０８７３０号公報（第１頁参照）
【特許文献２】特表２０００−５１５７８６号公報（第１頁参照）
【０００４】
従来手とかトレーで持ち運ぶようにしたり、ベルトコンベアーに載せて運ぶようにした装置によれば、衛生的な保守が維持しがたい上に、運搬時に皿が滑り落ちるとか、コンベアーからの移し替えの際に皿が破損することが多い。また、ワゴンやカートを使用することは、客席の回りとか客とのすれ違いにそのスペースがない場合が多く一般的ではない欠点がある。
【発明の開示】
【発明が解決しようとする課題】
【０００５】
以上のことから、本発明が解決しようとする問題点は、係りの人には積み重ねた皿の運搬が確実にでき、簡便で設備のコストダウンができ、衛生的な保守が容易である上に、手狭な店内でも積み重ねた皿を安全に持ち運べるようにした搬送器具を提供することにある。
【課題を解決するための手段】
【０００６】
そこで本発明は、上記の課題を解決するために、提げ手部の両端に、積み重ねた皿の高さに見合う長さを具えた一対の脚部を具え、その内の少なくとも一方を開閉可能にして連結し、この一対の脚部の下端には互いに向かい合って、かつ、積み重ねた皿の最下段の皿を裏側から抱持する円弧形の係合爪を備え、前記提げ手部には、前記一対の脚部を閉じる方向に付勢するばねと、このばねに抗して上記脚部の上記係合爪を、上記最下段の皿を抱持する位置に停止させておく開閉停止手段とを備えてなる積み重ねた皿の搬送器具を提供するものである。
【０００７】
本願第２の発明は、図２、３に示すように、提げ手部の両端に備えたヒンジ部と連結軸とを介して、一対の脚部をそれぞれ開閉可能に連結するとともに、上記両端のヒンジ部から中央部に向けて延設した延設部の先端を互いに丁番構造で連結し、ばねに板ばねを用い、中央部を上記丁番構造の裏面に当接させ、その両側を、上記延設部と、該延設部の下側に沿って延設した下側の延設部との間に若干の滑動を可能にして挟持させ、開閉停止手段は、上記一対の脚部の外側面に形成されて、上記ばねの付勢に抗して該脚部を開けるように備えた把持部と、上記取付け台の裏面に突設したストッパーと、上記下側の延設部の一方の先端部裏面に備えられて上記ストッパーの先端部と係合して、該一対の脚部の係合爪を互いに最下段の皿を抱持する位置に停止させておくようにした係合片とからなることを特徴とする積み重ねた皿の搬送器具を提供するものである。
【０００８】
本願第３の発明は、図５、７に示すように、ばねには板ばねを用い、一端を上記提げ手部の上面に当接させ、他端は、上記提げ手部の一方の端部に設けたブラケットにヒンジされて提げ手部の上方に延設したハンドル形のレバーの裏面に当接させ、中間部を上記ブラケット側にＵ字形に曲げて上記レバーと提げ手部との間に挟持し、一対の脚部の一方は、上記ハンドル形のレバーの基端部から一体に垂下されて、常時は上記ばねにより下端の係合爪を閉じる方向に付勢させ、この付勢に抗して上記レバーと提げ手部とを握り締めることによりこの一方の脚部を開けるように構成し、前記開閉停止手段は、上記ハンドル形のレバーの基端部に取り付けたレバー形のストッパーと、上記提げ手部の一端に開口する掛止孔とを係合させて、上記一方の脚部を開放位置に停止させるように構成したことを特徴とする積み重ねた皿の搬送器具を提供するものである。
【発明の効果】
【０００９】
本発明に係る搬送器具は、図示のようにその構造が簡単であるから手狭な店内でも客にほとんど支障なく使用できる。提げ手部の両端にそれぞれ備えた一対の脚部は、提げ手部に備えたばねに付勢されて下端に備えた係合爪を積み重ねた皿の最下段の皿を裏側から抱持するので、積み重ねられた状態を崩すことなく多数枚の皿を保持でき、また安定して所望の位置に運搬できる。さらにその運搬先では、ばねの付勢を利用して積み重ねた状態を維持させたまま、所定の置き場所で開放して定置させることができる。また、衛生的な保守も容易である。
【発明を実施するための最良の形態】
【００１０】
提げ手部の両端に、積み重ねた皿の高さに見合う長さを具えた一対の脚部を具え、その内の少なくともその一方を開閉可能にして連結する。
この一対の脚部の下端には、互いに向かい合って、かつ、積み重ねた皿の最下段の皿を裏側から抱持する円弧形の係合爪を備える。
前記提げ手部には、前記一対の脚部を閉じる方向に付勢するばねと、このばねに抗して上記脚部の上記係合爪を、上記最下段の皿を抱持する位置に停止させておく開閉停止手段とを備えてなる積み重ね皿の搬送器具である。
【実施例】
【００１１】
以下に、本発明の実施例を図面について説明する。  
図１は、実施例１の態様を示す斜視図、
図２は、実施例２の使用状態を示す正面図、図３は、実施例２の平面図、図４は、実施例２の脚部の開放状態を示す正面図、
図５は、実施例３の使用状態を示す正面図、図６は、実施例３の平面図、図７は、実施例３の脚部の開放状態を示す正面図である。
【００１２】
図において、１は搬送器具本体Ａの提げ手部、２ａ、２ｂは提げ手部１の両端に、積み重ねた皿Ｂの高さに見合う長さを具えて連結され、少なくともその一方２ｂは開閉（上端を支点とする揺動）を可能にした脚部、３は脚部２ａ、２ｂの下端に互いに内向きに対向して設けられ、積み重ねた皿Ｂの最下段の皿Ｂ’の裏側に図２、５、７に示すように両側から係合して積み重ねた皿Ｂを抱持する係合爪、４は脚部２ａ、２ｂを閉じる方向に付勢するかまたは開く方向に付勢するばね、５はばね４に抗して上記脚部の上記２ａ、２ｂの係合爪３を、上記最下段の皿Ｂ’を抱持する位置に停止させておく開閉停止手段である。
【００１３】
図１に示す実施例１において、提げ手部１は、一方（図示右手）に固定の脚部２ａを垂下し、他方の脚部２ｂを開閉可能にして備えた取付け板部６の上部にコ字形に横架され、一端に設けたヒンジ部７と連結軸８とを介して、開閉可能な上記他方の脚部２ｂを連結している。
前記ばね４は、ヒンジ部７の図示右側に提げ手部１の上方に沿って一体に延設したハンドル形のレバー１０の下面と、ヒンジ部７の図示右側に延びる前記提げ手部１の上面との間に、上記連結軸８をＵ字形に巻回して装着され、上記他方の脚部２ｂを図示反時計回りに閉じる方向に付勢している。そして、常時は、取付け板部６の左端部６’の裏面に当接する部分を当接部９として、前記一対の脚部２ａ、２ｂと下端部で向かい合う係合爪３の間隔を固定し、積み重ねた皿Ｂの両側に位置させている。
【００１４】
なお、この実施例１において前記開閉停止手段５は、上述の説明から明らかなように、取付け板部６の左端部６’の裏面に係合する当接部９が脚部２ａ、２ｂを閉じた状態に維持する停止手段とし、積み重ねた皿Ｂの両側に脚部２ａ、２ｂを沿わせて持ち上げて搬送し、所定位置で提げ手部１と共にハンドル形のレバー１０をばね４の蓄力に抗して握り締めることにより、積み重ねた皿Ｂを開放するようにしている。
この実施例１は、積み重ねた皿Ｂに搬送器具本体Ａを係合させるときにはレバー１０を握り締めて脚部２ｂを開いても良いが、図示のように閉じた状態のままで側方から脚部２ａ、２ｂを皿Ｂ’に係合させるようにすることもできる。
【００１５】
図２〜４に示す実施例２は、提げ手部１の両端に備えたヒンジ部７と連結軸８とを介して、
一対の脚部２ａ、２ｂをそれぞれ開閉可能に連結し、両端のヒンジ部７から中央部に向けて延設した延設部１１の先端を互いに丁番構造１２で連結し、ばね４に板ばねを用い、該ばね４の中央部を上記丁番構造１２の裏面に当接させ、その両側を、上記延設部１１と、該延設部１１の下側に沿って延設した下側の延設部１３との間に若干の滑動を可能にして挟持させ、開閉停止手段５は、上記一対の脚部２ａ、２ｂの外側面に形成されて、上記ばね４の付勢に抗して該脚部２ａ、２ｂを人力で開けるように備えた把持部１４と、上記延設部１１の裏面に突設したストッパー１５と、上記下側の延設部１３の一方の先端部裏面に備えられて上記ストッパー１５の先端部と係合して、該一対の脚部２ａ、２ｂの係合爪３を互いに最下段の皿Ｂ’を抱持する位置に停止させておくようにした係合片１６とからなる。
【００１６】
この実施例２は、図２に示すように、ばね４に対して無負荷の状態のときに水平状態を維持し、脚部２ａ、２ｂの係合爪３を積み重ねられた皿Ｂの最下段の皿Ｂ’を抱持する状態に閉じており、所定位置で提げ手部１の側面に付設されている把持部１４を図４に示すように人力で開いて多段に積み重ねられた皿Ｂを開放するように用いる。
上記開放操作時には、図４に示すように、ばね４は、ストッパー１５と係合片１６とからなる開閉停止手段５から開放されて上下の延設部１１、１３と共に下向きにへの字に屈曲し、把持部１４から手を離すことによって図２の状態に復帰する。
【００１７】
次ぎに、実施例３を図５〜７について説明する。
実施例３は、ばね４には板ばねを用い、一端を提げ手部１の上面に当接させ、他端を、提げ手部１の一方の端部（図示左端）に設けたブラケット１７にヒンジされて提げ手部１の上方に延設したハンドル形のレバー１８の裏面に当接させ、中間部を上記ブラケット１７側にＵ字形に曲げて上記レバー１８と提げ手部１との間に挟持し、一対の脚部２ａ、２ｂの一方２ｂは、上記ハンドル形のレバー１８の基端部（図示左端）から一体に垂下されて、常時は上記ばね４により下端の係合爪３を閉じる方向に付勢させ、この付勢に抗して上記レバー１８と提げ手部１とを握り締めることによりこの一方の脚部２ｂを開けるように構成し、開閉停止手段５は、上記ハンドル形のレバー１８の基端部に取り付けたレバー形のストッパー１９と、上記提げ手部１の一端（図示左端）に開口する掛止孔２０とを係合させて、上記一方の脚部２ｂを開放位置に停止させるように構成してなる。
【００１８】
この実施例３は、前記実施例１と同様に、積み重ねた皿Ｂに搬送器具本体Ａを係合させるときにはレバー１８を提げ手部１と共に握り締めて脚部２ｂを開くようにしても良いが、図示のように閉じた状態のままで側方から脚部２ａ、２ｂを皿Ｂに係合させるようにすることもできる。
そして、積み重ねた皿Ｂを所定位置に搬送した後は、提げ手部１と共にレバー１８を握り締めてばね４に抗して一方の脚部２ｂを開くように操作する。
【産業上の利用可能性】
【００１９】
本発明に係る搬送器具は、実施例に説明するように、ばねの蓄力に抗して脚部の双方または一方を開いて多段に積み重ねた空皿を抱持して運搬するように用いられるが、脚部の長さとか一度に搬送する皿数などは実施例の態様に限らない。また、図示を省略しているが、前記一対の脚部と係合爪及び提げ手部の下方に位置して積み重ねた皿に当接する可能性のある部材には、少なくとも上記積み重ねた皿に向かい合う面に、皿の破損防止機能または抗菌性を具えた樹脂加工を施すようにする。また、ばねには、板ばねの他コイルばねを使用するとか、ばねの利用の仕方とか、付勢の方向も実施例の態様に限らず、さらに、各部の形態などは、本発明の目的に沿って、実施例の態様のみに限定されるものではない。
【図面の簡単な説明】
【００２０】
【図１】実施例１の態様を示す斜視図である。
【図２】実施例２の使用状態を示す正面図、
【図３】実施例２の平面図、
【図４】実施例２の脚部の開放状態を示す正面図である。
【図５】実施例３の使用状態を示す正面図、
【図６】実施例３の平面図、
【図７】実施例３の脚部の開放状態を示す正面図である。
【符号の説明】
【００２１】
Ａ  搬送器具本体
Ｂ  積み重ねた皿
１  提げ手部
２（２ａ、２ｂ）  脚部
３  係合爪
４  ばね
５  開閉停止手段
６  取付け部  （６’  左端部）
７  ヒンジ部
８  連結部
９  当接部
１０  レバー
１１  延設部  
１２  丁番構造
１３  下側の延設部
１４  把持部
１５  ストッパー
１６  係合片
１７  ブラケット
１８  レバー
１９  ストッパー
２０  掛止孔
【図１】
2005343493.tif 000003
【図２】
2005343493.tif 000004
【図３】
2005343493.tif 000005
【図４】
2005343493.tif 000006
【図５】
2005343493.tif 000007
【図６】
2005343493.tif 000008
【図７】
2005343493.tif 000009